(57)【要約】【課題】使用済みの樹脂フィルムに付いた泥等を洗浄水を使わないでも十分に洗浄できる乾式洗浄機を提供する。【解決手段】樹脂フィルムの洗浄機１において、樹脂フィルムが投入される投入口７と、この投入口７を介して導かれる樹脂フィルムを通過させる洗浄ケース２と、洗浄ケース２を通過した樹脂フィルムを排出する排出口１０と、洗浄ケース２内で互いに噛み合いながら回転する対のローラブラシ３，４とを備え、各ローラブラシ３，４の周速度を互いに相違させる構成とした。【選択図】    図１
2004202723.tif 000002
【特許請求の範囲】
【請求項１】
樹脂フィルムが投入される投入口と、この投入口を介して導かれる樹脂フィルムを通過させる洗浄ケースと、洗浄ケースを通過した樹脂フィルムを排出する排出口と、洗浄ケース内で互いに噛み合いながら回転する対のローラブラシとを備え、各ローラブラシの周速度を互いに相違させる構成としたことを特徴とする樹脂フィルムの洗浄機。
【発明の詳細な説明】
【０００１】
【発明の属する技術分野】
本発明は、樹脂フィルムを再利用するための洗浄機に関するものである。
【０００２】
【従来の技術】
畑等で使用された使用済みの農業用のポリエチレン製フィルム、ビニール製フィルム等を再生する場合、フィルムに付いた泥等の汚れを洗浄する必要があった。
【０００３】
従来、この種の再生装置として、図４に示すように、破砕されたフィルム廃棄物から汚泥等の異物を分離除去する湿式の洗浄機１０１を備えるものがあった。この洗浄機１０１は、円筒形の洗浄槽１０２と、洗浄槽１０２内に入れられた洗浄液とフィルム廃棄物と旋回させるロータ１０３と、洗浄済みのフィルム廃棄物を外部に取り出す取出パイプ１０４と、取出パイプ１０４中に取付けられた開閉弁１０５とからなる。ロータ１０３が回転すると、投入されたフィルム片が水槽１０２内の洗浄液と一緒に旋回流動し、フィルム廃棄物に付いた汚れを落とすようになっている。
【０００４】
【特許文献１】
特開２００１−１７０９３７号公報
【０００５】
【発明が解決しようとする課題】
しかしながら、このような水洗式の洗浄機１０１はフィルム廃棄物を洗浄するのに大量の洗浄水を使うため、洗浄水を浄化処理する設備や、洗浄後のフィルム廃棄物を乾燥させる設備が必要となり、設備コスト及びランニングコストが高くなるという問題点があった。
【０００６】
また、従来、洗浄水を使わない乾式の洗浄機として、多数のピンが突出した回転体を備え、ピンが樹脂フィルムに衝突する衝撃力によって汚れを剥離させるものがあった。
【０００７】
しかしながら、この場合、厚みのあるビニール製フィルム等に付着した汚れを十分に落とすことができないという問題点があった。
【０００８】
本発明は上記の問題点に鑑みてなされたものであり、使用済みの樹脂フィルムに付いた泥等を洗浄水を使わないでも十分に洗浄できる洗浄機を提供することを目的とする。
【０００９】
【課題を解決するための手段】
第１の発明は、樹脂フィルムの洗浄機において、樹脂フィルムが投入される投入口と、この投入口を介して導かれる樹脂フィルムを通過させる洗浄ケースと、洗浄ケースを通過した樹脂フィルムを排出する排出口と、洗浄ケース内で互いに噛み合いながら回転する対のローラブラシとを備え、各ローラブラシの周速度を互いに相違させる構成としたことを特徴とするものとした。
【００１０】
【発明の作用および効果】
第１の発明によると、投入口から投入される樹脂フィルムは、回転する各ローラブラシの間を通って排出口へと向かう過程で、各ローラブラシの周速度差が異なることにより、多数のブラシ毛がその弾性復元力により樹脂フィルムに押し付けられて摺接し、これに付着した泥等が効果的に掻き落とされる。これにより、例えば畑で使用された樹脂フィルム等の汚れを洗浄水を使わないでも十分に落とすことが可能となる。
【００１１】
また、この洗浄機は樹脂フィルムの投入、洗浄、排出を連続して行うため、高い処理効率が得られる。
【００１２】
【発明の実施の形態】
以下、本発明の実施の形態を添付図面に基づいて説明する。
【００１３】
図１は本発明の樹脂フィルムの乾式洗浄機１を示し、この洗浄機１は使用済みの農業用のポリエチレン製フィルム、ビニール製フィルム等の樹脂フィルムを再生する再生装置に備えられる。この再生装置は、図示しない粉砕器によってある程度の大きさに破砕された樹脂フィルムが洗浄機１に投入され、洗浄機１によって樹脂フィルムに付いた泥等が分離され、各洗浄機１から排出された後に所定の処理行程を経て再生材料がつくられる。
【００１４】
洗浄機１は、樹脂フィルムが投入される投入口７と、この投入口７を介して導かれる樹脂フィルムを通過させる洗浄ケース２と、洗浄ケース２を通過した樹脂フィルムを排出する排出口１０と、洗浄ケース２内で互いに噛み合いながら回転する３対のローラブラシ３，４とを備え、樹脂フィルムが各ローラブラシ３，４の間を順に通って洗浄されるようになっている。
【００１５】
洗浄ケース２は垂直方向に延び、投入口７に投入される樹脂フィルムが洗浄ケース２内を落下して排出口１０へと進むようになっている。洗浄ケース２内には３対のローラブラシ３，４が水平軸まわりに回転可能に支持され、垂直方向について互いに所定の間隔をもって配置される。
【００１６】
各ローラブラシ３，４はそれぞれの回転軸５，６から径方向に突出する多数のブラシ毛からなる。このブラシ毛は例えば合成樹脂材料からなる。各ローラブラシ３，４の外径（ブラシ毛先端部の外形）は略同一に形成される。
【００１７】
対で設けられる各ローラブラシ３，４は図中矢印で示すように互いに噛み合いながら回転し、かつそれぞれの周速度を相違させる構成とする。
【００１８】
図２、図３に示すように、各ローラブラシ３，４は回転軸５，６を介してケース２に回転可能に支持される。各回転軸５，６の一端には大小のギア１３，１４が結合され、各ギア１３，１４の一方に図示しない動力源からの回転が伝達される。各ギア１３，１４が互いに噛み合うことにより、各回転軸５，６が互いに回転速度差を持って逆方向に回転し、各ローラブラシ３，４の周速を相違させる構成とする。
【００１９】
略四角形の筒状をしたケース２には各ローラブラシ３，４の外周に沿って半円筒状に膨らむ抱囲部１５が形成されている。
【００２０】
以上のように構成されて、次に作用について説明する。
【００２１】
投入口７から洗浄ケース２内に投入された樹脂フィルムの破砕片は、回転する各ローラブラシ３，４の間を通って排出口１０へと向かう過程で、各ローラブラシ３，４の周速度差が異なることにより、多数のブラシ毛がその弾性復元力により樹脂フィルムに押し付けられて摺接し、これに付着した泥等が効果的に掻き落とされる。樹脂フィルムは洗浄ケース２を通過する過程で３対の各ローラブラシ３，４の間で摩擦力が繰り返し与えられることによってその表面に付いた汚れが十分に落とされる。
【００２２】
こうして乾式洗浄機１にて洗浄された樹脂フィルムは図示しない送りブロアを介してサイクロンに送られ、樹脂フィルムから分離した泥や塵埃が遠心力によって取り除かれた後、所定の処理行程を経て再生材料となる。
【００２３】
本発明は上記の実施の形態に限定されずに、その技術的な思想の範囲内において種々の変更がなしうることは明白である。
【図面の簡単な説明】
【図１】本発明の実施の形態を示す樹脂フィルムの洗浄機の正面断面図。
【図２】同じく洗浄機の平面断面図。
【図３】同じく洗浄機の側面断面図。
【図４】従来例を示す樹脂フィルムの洗浄機の断面図。
【符号の説明】
１  洗浄機
２  洗浄ケース
３，４  ローラブラシ
５，６  回転軸
７  投入口
１０  排出口
１３，１４  ギア
【図１】
2004202723.tif 000003
【図２】
2004202723.tif 000004
【図３】
2004202723.tif 000005
【図４】
2004202723.tif 000006